(57)【要約】  人体を温めるための機器。機器は、胸部部分（１１０、１５０２）および脚部部分（１１２、１５０４）を有するガウン（１００、１５００）である。１つの態様は、脚部部分（１１２）の内側に取り付けられる分配器（２０６）により、再分配による低体温を防止する。袖（１０８）、脚部部分（１１２）、および、ガウン（１００）の後部は、熱反射性である。ガウンの胸部部分（１１０）の前部は、熱反射性ではない。熱風が供給され、ガウン（１００）の中へ空気を排気する際に、分配器（２０６）が膨張する。温度は、四肢に最適なレベルに維持され、一方で、胸部領域が不快なレベルまで高まるのを防止する。他の態様は、術中の加温機器である。機器は、胸部部分（１５０２）および脚部部分（１５０４）を有するガウン（１５００）である。各部分は、独立した空気チャンバおよび入口を有する。２つの部分は解除可能に接続される、袖（１５０８）、脚部部分（１５０４）およびガウンの前部は、熱反射性である。
2013536714.tif 000002
【特許請求の範囲】
【請求項１】
患者の体温調整を提供する装置であって、
患者の上半身に取り付けるように構成された、胸部部分および一組の袖を有する第１衣服部分であって、該第１衣服部分は、患者の首部を収容するように構成された首部開口部を有する、前記第１衣服部分；
前記第１衣服部分の内側表面に取り付けられる周辺端部を有する第１シートであって、それによって前記第１シートおよび前記第１衣服部分の隣接部分の間の第１チャンバを画定し、前記第１シートは空気透過性であり、前記第１衣服の前記隣接部分は空気不透過性であり、前記第１衣服部分および前記第１シートは上半身部分を画定し、前記上半身部分は、患者が前記上半身部分を装着する場合に、患者の骨盤に近接する底部を有する、前記第１シート；
前記第１チャンバに流体連結される第１入口部であって、前記第１チャンバの中へ空気が導入される場合に、前記第１チャンバが膨張し、前記第１シートを介して空気が排出される、前記第１入口部；
患者の下半身の周りに適合するように構成された、第２シート；
前記第２シートに取り付けられる周辺端部を有する第３シートであって、それによって前記第３シートおよび前記第２シートの隣接部分の間に、第２チャンバを画定し、前記第３シートは空気透過性であり、前記第２シートの前記隣接部分は空気不透過性であり、前記第２シートおよび前記第３シートは下半身部分を画定する、前記第３シート；
前記第２チャンバに流体連結される第２入口部であって、前記第２チャンバの中へ空気が導入される場合に、前記第２チャンバが膨張し、前記第３シートを介して空気が排出される、前記第２入口部；および
前記上半身部分の前記底部部分を前記下半身部分の上部に連結するコネクタであって、前記コネクタは解除式であり、前記下半身部分は前記上半身部分から取り外し可能である、前記コネクタ
を含む、前記装置。
【請求項２】
前記第１チャンバが、前記第１衣服部分の前部部分に近接するように寸法付けされ、前記前部部分は、患者が前記上半身部分を身に着ける場合に、患者の前部胸部に近接する部分に対応する、請求項１に記載の装置。
【請求項３】
前記上半身部分が前記下半身部分に接続された状態で、患者が前記上半身部分および前記下半身部分を身に着けるときに、前記第２チャンバが、患者の下半身の前部部分に近接するように寸法付される、請求項１に記載の装置。
【請求項４】
前記下半身部分が長さを有し、前記下半身部分の底部は、患者が前記上半身部分に連結される前記下半身部分と共に前記下半身部分を身に着けるときに、前記下半身部分の底部が患者の足に近接する、請求項１に記載の装置。
【請求項５】
前記第２シートおよび前記第３シートの間に複数の接続部をさらに含み、前記複数の接続部は、前記第３シート前記周辺端部により画定される境界の内側に分配され、これにより、前記第２チャンバが空気で膨張した場合に、前記第２シートが、前記第３シートから限られた距離に膨張するように拘束される、請求項１に記載の装置。
【請求項６】
前記一組の袖、および、前記第１衣服部分の前部部分が、熱反射性である、請求項１に記載の装置。
【請求項７】
前記第２シートの前部部分が熱反射性であり、前記第２シートの後部部分が熱反射性でない、請求項１に記載の装置。
【請求項８】
前記第１衣服部分の後部部分および前記第２シートの後部部分が、空気透過性である、請求項１に記載の装置。
【請求項９】
患者の体温調整を提供する装置であって、
胸部部分および一組の袖を画定する第１シートであって、前記第１シートは、患者が前記第１シートを身に着ける場合に、患者に近接する内側表面を有する、前記第１シート；
気密シールにより前記第１シートに取り付けられた周縁部を有する第２シートであって、前記第１シートおよび前記第２シートは、前記第２シート、および、前記第２シートに近接する前記第１シートの一部分の間に、第１チャンバを画定し、前記第２シートは空気透過性であり、前記第１シートの前記一部分は空気不透過性であり、前記第１および第２シートが上半身部分を画定する、前記第２シート；
前記第１シート内の前記第１チャンバの中への通路により画定される第１入口であって、前記第１入口はエアホースに接続されるように構成される、前記第１入口；
前記第１シートの底部端部の長さに実質的に等しい長さを具備する上部端部を有する第３シートであって、前記第３シートは、患者が前記第３シートを身に着ける場合に、患者に近接する内側表面を有する、前記第３シート；
気密シールにより前記第３シートに取り付けられた周縁部を有する第４シートであって、前記第３シートおよび前記第４シートは、前記第４シート、および、前記第４シートに近接する前記第３シートの一部分の間に、第２チャンバを画定し、前記第４シートは空気透過性であり、前記第３シートの前記一部分は空気不透過性であり、前記第３および第４シートは、下半身部分を画定する、前記第４シート；
前記第２チャンバの中への前記第３シート内の通路により画定される第２入口であって、前記第２入口はエアホースに接続されるように構成される、前記第２入口；および
前記上半身部分の底部および前記下半身部分の上部を解除可能に連結するコネクタ
を含む、前記装置。
【請求項１０】
前記上半身部分の前記底部が、患者が前記上半身部分を身に着ける場合に、患者の骨盤に近接する、請求項９に記載の装置。
【請求項１１】
前記下半身部分が、患者が前記上半身部分に連結された前記下半身部分を具備する前記下半身部分を身に着ける場合に、前記下半身部分の底部が、患者の足に近接する長さを有する、請求項９に記載の装置。
【請求項１２】
前記第１チャンバが、前記上半身部分の前部部分に近接するように寸法付され、患者が前記上半身部分を身に着ける場合に、前記前部部分が、患者の前部胸部に近接する部分に対応する、請求項９に記載の装置。
【請求項１３】
前記第１チャンバが、前記胸部に近接する前記一組の袖の一部分の中へ伸長するように寸法付される、請求項９に記載の装置。
【請求項１４】
各袖の内側部分および遠位部分の間に継ぎ目をさらに含み、前記一組の袖の各袖の前記遠位部分が、前記一組の袖の前記各袖の前記内側部分から取り外し可能である、請求項９に記載の装置。
【請求項１５】
前記上半身部分が前記下半身部分に接続され、患者が前記上半身部分および前記下半身部分を身に着ける場合に、前記第２チャンバが、患者の下半身の前部部分に近接するように寸法付される、請求項９に記載の装置。
【請求項１６】
前記第３シートおよび前記第４シートの間に複数の接続部をさらに含み、前記複数の接続部は、前記第４シートの前記周辺端部により画定される境界の内側に分配され、これにより、前記第２チャンバが空気で膨張した場合に、前記第３シートが、前記第４シートから限られた距離に膨張するように拘束される、請求項９に記載の装置。
【請求項１７】
前記一組の袖および前記第１衣服部分の前部部分が、熱反射性である、請求項９に記載の装置。
【請求項１８】
前記第３シートの前部部分が熱反射性であり、前記第３シートの後部部分が熱反射性ではない、請求項９に記載の装置。
【請求項１９】
前記上半身部分の後部部分および前記下半身部分の後部部分が、空気透過性である、請求項９に記載の装置。
【請求項２０】
前記第３シートが、前記第１シートの底部端部の長さに実質的に等しい長さを具備する上部端部を有する、請求項９に記載の装置。
【請求項２１】
再分配による低体温を最小限にするために、患者を温める装置であって、
胸部部分および脚部部分を有するガウンであって、前記脚部部分は、患者が前記ガウンを身に着ける場合に、患者の脚部を実質的に覆うのに十分な長さを有する、前記ガウン；
細長い形を具備する膨張式チャンバであって、前記膨張式チャンバは、前記脚部部分の前部表面の内側に近接する前記ガウンの上下軸に沿って長手方向に固定され、患者が前記ガウンを身に着けられる場合に、前記膨張式チャンバが患者の一組の脚部の間に位置するように、前記膨張式チャンバが前記脚部部分に対して内側に固定され、前記膨張式チャンバは、選択された表面に渡って空気透過性である、前記膨張式チャンバ；および
前記膨張式チャンバに流体連結される入口部であって、空気が前記膨張式チャンバの中へ導入される場合に、前記空気が前記選択された表面を介して排出され、前記入口部は、エアホースに接続できるように構成され、前記入口部は、前記膨張式チャンバの下端部に近接して位置される、前記入口部
を含む、前記装置。
【請求項２２】
前記膨張式チャンバが、横断面において長方形の断面を有し、前記膨張式チャンバが、前記膨張式チャンバの上端に向かう一組のテーパー状の側壁を有し、前記膨張式チャンバが、ａを有する、請求項２１に記載の装置。
【請求項２３】
前記ガウンが、前記脚部部分から反対側の前記胸部部分に伸長するドレープ部分を含み、前記ドレープ部分が、患者が前記ガウンを身に着ける場合に、患者の下端部を越えて伸長するように寸法付される、請求項２１に記載の装置。
【請求項２４】
前記袖および前記脚部部分が熱反射性であって、前記胸部部分の前部部分が熱反射性ではない、請求項２３に記載の装置。
【請求項２５】
前記ガウンの後部が熱反射性である、請求項２４に記載の装置。
【請求項２６】
前記ドレープ部分が、前記ガウンの外側面上の対応する第２ファスナーと結合するように構成される第１ファスナーを含み、前記第１ファスナーが前記ドレープ部分の遠位端部に近接することで、前記第１ファスナーが前記対応する第２ファスナーと結合する場合に、前記ドレープ部分が前記脚部部分に近接して支持される、請求項２３に記載の装置。
【請求項２７】
前記第１ファスナーおよび前記第２ファスナーが、脱着可能に取り付けられる、請求項２６に記載の装置。
【請求項２８】
少なくとも２つのセットのファスナーをさらに含み、前記２つのセットのファスナーのそれぞれが、前記第１および第２のファスナーを含み、前記少なくとも２つのセットのファスナーの１つが、前記ドレープ部分の遠位コーナーに固定されるように位置され、前記少なくとも２つのセットのファスナーのもう１つが、前記ドレープ部分の他の遠位コーナーに固定されるように位置される、請求項２６に記載の装置。
【請求項２９】
前記入口部が、前記ガウンを通る通路を画定する、請求項２１に記載の装置。
【請求項３０】
前記ガウンが、前記エアホースが前記入口部に接続されるときに、前記エアホースの通路を許容するように寸法付された開口部を含む、請求項２１に記載の装置。
【請求項３１】
前記袖および前記脚部部分が熱反射性であり、前記胸部部分の前部部分が熱反射性でない、請求項２１に記載の装置。
【請求項３２】
前記ガウンの後部が熱反射性である、請求項３１に記載の装置。
【発明の詳細な説明】
【技術分野】
【０００１】
本出願は、２０１０年８月３０日に出願された米国仮特許出願第６１／３７８，２４５号の利益を主張するものである。
本発明は、人間の体を温めるためのシステムに関する。より具体的には、本発明は、手術または他の医科的手術の前、間、後の、受動的な加温および能動的な加温に関連する。
【背景技術】
【０００２】
予熱または冷却された空気などの調整されたガスを患者に伝えるために利用される、膨張式保温毛布は、従来から知られていた。このような保温毛布は、通常膨張式部分と加圧調整されたガス源とを流体連結するように設置するための入口部が提供された膨張式部分を有し、膨張式部分を選択的に膨張できるようになっている。膨張式部分は、一般的に患者に隣接して位置する内側表面を有する。内側表面はガス透過性であるが、または、毛布を膨張させるために利用される調整されたガスを、利用者に対して伝えるように適用してもよい。膨張式部分を膨張させるために利用される温風は、毛布により覆われる人体部分を温風内に浸けるように、膨張式部分の内側表面を介して伝えられる。
【０００３】
術中に利用するための加温機器もまた公知である。例えば、２００７年１０月２日にＢｉｅｂｅｒｉｃｈに付与された、米国特許番号７２７６０７６、タイトル“Ｐｅｒｉｏｐｅｒａｔｉｖｅ  ｗａｒｍｉｎｇ  ｄｅｖｉｃｅ”には、術中に利用するための加温機器が開示されている。該加温機器は、ガウン、および、ガウンの内側上の対流装置を含む。各対流装置は、空気−透過性の層により分割された、一組の外側シートを有する。空気−透過性の層は、区域を分割する障壁である。空気の入口は、各区域に提供される。
【０００４】
もう一つの例として、２００８年４月２９日にＡｎｄｅｒｓｏｎに付与された、米国特許番号７６４５８４、タイトル“Ｗａｒｍｉｎｇ  ｄｅｖｉｃｅ”には、衣服の内側の交互式で分割された膨張式区域を具備する対流式装置を具備する衣服である、加温機器が開示されている。対流式装置は、それぞれ独立して膨張可能な２つの区域を有する。１つの区域はくし形で、患者に治療的加温を提供する。他の区域は、第１の区域と交互式であり、患者に快適な加温を提供する。
【先行技術文献】
【特許文献】
【０００５】
【特許文献１】米国特許第７２７６０７６号
【特許文献２】米国特許第７６４５８４号
【発明の概要】
【発明が解決しようとする課題】
【０００６】
本発明の１つの態様によれば、患者を加温するための機器は、空気分配器および熱反射性／非熱反射性部分を含む、本体部を有するガウンを含む。本体部は、胸部部分および脚部部分を含む。胸部部分は、患者の胴部を取り囲み、２つのフラップから作られる後部を含む。袖は本体部から伸長し、腕部を取り囲む。脚部部分は、脚部から足首に至るまで取り囲む。脚部部分は、脚部部分に解除可能に取り付けられるドレープを含む。取り外された形態のドレープは、患者の足部を覆うために伸長可能である。機器は、脚部部分の内側に取り付けられる分配器を含む。分配器は、分配器を介してガウンの内側のあらゆる場所を、空気が流れるようにすることができる。
【０００７】
ガウンの袖、脚部部分および背面部分は、熱反射性素材を含む。ガウンの胸部の前部、または胸の部分は、非熱反射性である。１つの態様において、ガウンの繊維は、生分解性である。
【０００８】
分配器は、エアホースに接続可能である。分配器は強制的にされると膨張し、温風が供給され、該温風をガウンの内側のあらゆる場所に押し出す。空気の温度は、四肢に適したレベルに維持される一方で、胸または胸部領域が不快なレベルになるレベルまで増加することを防止する。患者の周りの空気の温度は、手術または他の医科的手術の前、間、後で、ガウンの範囲内で維持される。
【０００９】
上記で示された態様において、予熱ガウンは、再分配による低体温の防止、および、患者の体における最適な蓄熱のために、手足を温める。強制的な空気で全身を温める毛布は、手足を温めるのにとても効果的である。しかしながら、胸部および手足の間に区別がない。胸部に流れる熱は、中核体温を増加させることに繋がり、快適さを減少させ、よって、発汗を促す。さらにまた、患者の可動性は、全身毛布により制限される。開示される予熱システムは、再分配による低体温の防止し、また、麻酔の間の熱損失を補うために、周辺区画の熱容量（蓄熱）を増加させるために、中核から周辺の温度勾配を減らすように動作する。
【００１０】
予熱システムは、全身ガウン、一体化されたチューブ形状の流量分配器、送風機、および、波形ホースを含む。ガウンは、反射繊維によって、受動的な断熱を強制的な温風と組み合わせる。減少した熱損失および能動的な熱供給の組み合わせは、周辺区画の熱容量および温度を結果的に増加させる。
【００１１】
熱は、送風機において生成された、強制的な温風により供給される。送風機からの強制的な温風は、波形ホースを介してガウンに移送される。強制的な温風は、ガウンの脚部部分に入る。脚部部分から、温風の一部は足部に、一部は上半身に移送される。温風は、体に沿って流れ、ガウンの足部、首部開口部および袖において逃げる。
【００１２】
ガウンの医学的要求は、低体温を防止するために、ガウンを通して流れる温風が約３６℃以上でなければならないことである。強制的な温風は、高回転数および熱交換器を具備するコンパクトな送風機により生成される。患者の意図しない冷却を防止するために、送風機の出力温度は、３６〜４３℃の範囲に調節される。患者は、送風機の出力体積流量を、快適なレベルにマニュアルで調節することができる。コンパクトな送風機は、ベッド取り付け機構に提供されている。オプションのバッテリーパックを利用して、送風機は、患者の移送中でも動作可能に保たれる。
【００１３】
ガウンには、下腿レベルの正面における水平スリットが提供される。波形ホースは、スリットを介して、ガウンと一体化されている流量分配器に接続される。一体化された流量分配器は、膨張式チューブを含む。１つの態様において、分配器は穿孔を含む。もう一つの態様において、分配器は、メルトブローンポリプロピレンなどの、空気透過性繊維から作られる。
【００１４】
ガウンは、断熱のために足部に渡って任意にドレープされるか、または、めくられてガウンに固定される、伸長可能な繊維の一片を含む。いくつかの態様においては、伸長可能な繊維の一片は、患者がガウンを身に着けている間にも歩けるように、フック／ループ（hook and loop）ファスナーシステム、テープ、または、ロープによって、固定される。
【００１５】
ガウンの繊維は、放射による熱損失を低減するために、腕部、脚部および背面部に反射コーティング（アルミ等）が提供される。胸部における繊維は、提供された温風に起因する中核温度の増加を減少させるためにコーティングされない。
【００１６】
予熱システムは、脚部および腕部の効率的な加温をしながら、一定な中核温度を保持する点で、他の予熱システムとは異なっている。さらにまた、患者の運動の自由度は、温められたマットレスおよび毛布のように、制限されない。予熱に加えて、ガウンは、手術中および手術後の患者の加温を提供する。ガウンの背面部分における継ぎ目は、ガウンが治療中により最適にドレープされるような、開閉式である。
【００１７】
他の態様において、予熱ガウンは、上半身部分および取り外し可能な下半身部分を具備する、周術期機器である。上半身部分は２つの層を有する。内層は、その間に上方空気チャンバを形成するために、外層の内側表面に取り付けられる空気透過性シートである。内層に近接する外層の領域は、空気透過性である。上方空気チャンバは、エアホースを接続できるようにする入口を有する。１つの態様では、上半身部分は、遠位袖および内側袖に分離可能な袖を有する。
【００１８】
下半身部分は、２つのシートで作られる。内側シートは空気透過性で、下方空気チャンバを形成するために、外側シートに取り付けられる。内層に近接する外層の領域は空気透過性である。下方空気チャンバは、エアホースに接続可能な入口を有する。
【００１９】
長いガウンを形成するために、上半身部分および下半身部分は、連結される。上半身部分から下半身部分を取り外すことで、それぞれが利用可能に分離される。１つの態様において、上半身部分および下半身部分の間の接続部は、面ファスナー（ｈｏｏｋ  ａｎｄ  ｌｏｏｐ  ｆａｓｔｎｅｒ）システムから作られる。この方法で、下半身部分は、上半身部分に解除可能に取り付けられる。
【００２０】
１つの態様において、外層は熱反射性の部分を有する。１つのこのような態様において、袖ならびに上半身および下半身部分の前部は熱反射性である。１つのこのような態様において、上方および下方空気チャンバから排出される空気の放出ができるように、上半身および下半身部分の後部は、空気透過性である。
【図面の簡単な説明】
【００２１】
上記の特徴は、図面と共に以下の詳細な説明を読むことでより明確に理解できる。
【図１】図１は、直立した患者に身に着けられたガウンの一態様の側面図である。
【図２】図２は、図１の加温ガウンの背面図を示す。
【図３】図３は、ドレープを図１の加温ガウンの脚部部分に締結するための１つの態様の側面図を示す。
【図４】図４は、仰臥位の患者が身に着けている、ガウンの側面図を示す。
【図５】図５は、図４のガウンの上面図を示す。
【図６】図６は、図１の加温ガウン用の分配器の一態様の斜視図を示す。
【図７】図７は、図６の分配器の側面図を示す。
【図８】図８は、図６の分配器の他の図を示す。
【図９】図９は、図１の加温ガウンのための分配器の第２の態様の側面図を示す。
【００２２】
【図１０】図１０は、図１の加温ガウンのための分配器の第３の態様の側面図を示す。
【図１１】図１１は、図１の加温ガウンのための分配器の第４の態様の側面図を示す。
【図１２】図１２は、図１の加温ガウンのための分配器の第５の態様の側面図を示す。
【図１３】図１３は、図１の加温ガウンのための分配器の第６の態様の側面図を示す。
【図１４】図１４は、図１の加温ガウンのための分配器の第７の態様の側面図を示す。
【図１５】図１５は、一態様の予熱ガウンを身に着けた患者の正面図を示す。
【図１６】図１６は、予熱ガウンの上半身部分の一態様の分解図を示す。
【図１７】図１７は、予熱ガウンの下半身部分の一態様の分解図を示す。
【発明を実施するための形態】
【００２３】
患者に加温するためのガウン１００、１５００が開示される。ガウン１００、１５００は、手術または他の医科的手順の前、間、後の、受動的な加温および能動的な加温を提供する。一つの構成において、ガウン１００は、再分配による低体温を防止し、もう一つの構成において、ガウン１５００は、術中の利用に適している。ガウン１００、１５００は、人間１０２に見に付けられることを意図している。位置の特定を簡単にするために、位置の様々な解剖学用語が使用される。例えば、上下軸は、ガウン１００、１５００の首部領域から足部領域への軸と一致する。横断面は、上下軸に垂直である。
【００２４】
図１は、直立した患者１０２に身に着けられたガウン１００の一態様の側面図を示す。図２は、ガウン１００の背面図を示す。図１および図２は、可動である患者１０２に適した、第１、または、受動的な構造のガウン１００を示す。受動的な構造は、患者１０２が立ち、歩き、座り、もしくは、動き、自分自身を位置づけることができる。
【００２５】
ガウン１００は、本体部１０４、ドレープ１０６および一組の袖１０８を含む。本体部１０４は、胸部部分１１０および脚部部分１１２を有する。胸部部分１１０は、患者１０２の胸部の周りにゆるく適合するように、寸法付され、形状が決められる。胸部部分１１０は、患者の体を包囲することで、患者１０２の胴部を取り囲む。胸部部分１１０は、それを通して患者１０２の首部が伸びる、開口部１１４を有する。立っているかまたは座っている場合のような、直立状態の患者１０２において、ガウン１００は、ガウン１００の胸部部分１１０に支持され、患者１０２の肩の上に乗る。
【００２６】
脚部部分１１２は、患者１０２の足部に向かって末端に伸長する。示される態様において、脚部部分１１２は、患者１０２の足首の所まで伸長する。患者１０２の足部は、脚部部分１０２における開口部を通して伸長する。開口部は、脚部部分１０２の縁部である裾１１６により画定される。脚部部分１１２は、患者が歩いているか、または、身動きする場合に、患者１０２の動きを妨げることなく、患者１０２の両下肢の一部分を取り囲む。
【００２７】
ドレープ１０６の近位端部は、ガウン１００の脚部部分１１２の裾１１６の一部分に取り付けられる。ドレープ１０６は、ドレープ１０６の遠位端部がガウン１００に固定された、格納位置で示される。他の態様において、ドレープ１０６は、格納位置において、折り畳まれ、巻かれ、または、纏められる。このように、つまずく危険を患者１０２にもたらすことも、また、ドレープ１０６が患者１０２の可動性を妨げることもないように、ドレープ１０６は、脚部部分１１２の裾１１６より下には伸長しない。
【００２８】
一組のスリーブ１０８は、ガウン１００の本体部１０４から伸長する。１つの態様において、袖１０８は、患者１０２の肩から手首まで、患者１０２の腕を取り囲むのみ十分な長さを有する。他の態様において、袖１０８はまた、患者１０２の手部を取り囲むのに十分な、より長い長さを有する。このような態様において、患者１０２の指部を含む、手部は、袖１０８の内側に被包され、ガウン１００の加温効果に晒される。
【００２９】
ガウン１００は、患者の体の前後の大部分を取り囲む。ガウン１００は、首部開口部１１４から脚部部分１１２の裾１１６にかけて伸長する、後部開口部２０２を有する。後部開口部２０２は、一組のフラップ２０４から形成される。一組のフラップ２０４は、ガウン１００の後部部分であって、首部開口部１１４から脚部部分１１２の裾１１６まで伸長する。後部開口部２０２は、１つ以上の位置で、一組のフラップ２０４の縁部を連結することで、部分的に閉じられる。１つの態様において、フラップ２０４は、各フラップ２０４上で、ストラップ２０８により連結または接続される。第１の組のストラップ２０８は、ガウン１００の首部開口部１１４を閉じて、第２の組のストラップ２０８は、ガウン１００の内側にある第２の位置を閉じる。他の態様において、フラップ２０４は、フラップ２０４を合わせて解除可能に固定する、糸、ボタン、スナップ、フック／ループファスナーおよび／またはコネクタによって、連結または接続される。
【００３０】
ガウン１００の内側であって、脚部部分１１２の前部表面の内側に取り付けられるのは、分配器２０６−Ａである。分配器２０６−Ａは一般的に、患者１０２が足を肩幅に開いて直立している場合に、患者１０２の脚部が脚部部分１１２に接触する間に位置する。分配器２０６−Ａは、患者１０２の股部に向かって伸長する遠位端部を有する。示された構造において、分配器２０６−Ａは収縮され、脚部部分１１２に実質的に隣接して置かれている。このように、患者２０１は、分配器２０６−Ａに妨害されることがない。もう一つの態様において、分配器２０６−Ａは、ガウン１００の下方または脚部部分１１２に取り付けられる空気透過性素材のシートである。空気透過性のシートおよびガウン１００は、処理された空気を受け取り、その空気を患者１０２の脚部および下半身に分配する、チャンバを画定する。
【００３１】
１つの態様において、ガウン１００は、ポリプロピレン等の空気透過性の不織布素材で作られる。１つのそのような態様において、素材は、生分解性である。ドレープ１０６、袖１０８、脚部部分１１２および本体部１０４の後部部分は、熱反射性の素材を含む。この熱反射性素材は、温風がガウン１００のこれらの部分の中へ強制的に入れられる場合に、受動的な加温を提供する。胸部部分１１０の前部は、熱反射性素材を含まない。熱反射性素材は、患者１０２の近接する熱が実質的に反射されるか、または、患者１０２から放射して失われるような、低放射率を有し、熱放射損失による患者１０２の冷却を防止しやすい。
【００３２】
図３は、ドレープ１０６をガウン１００の脚部部分１１２に締結するための１つの態様の側面図を示す。示された態様において、ドレープ１０６は、ガウン１００の垂直位置における格納位置に纏められる。格納位置において、ドレープ１０６の近位端部は、ガウン１００の脚部部分１１２の裾１１６の一部分に取り付けられ、ドレープ１０６の遠位端部は、ファスナー３０２を介して、ガウン１００の脚部部分１１２に固定される。
【００３３】
示される態様において、ファスナー３０２は、面ファスナーである。他の態様において、ドレープ１０６は、ドレープ１０６を脚部部分１１２に解除可能に固定する、ストラップ、糸、ボタン、スナップおよび／またはコネクタによって、固定される。ドレープ１０６が、ガウン１００の脚部部分１１２に固定されるが、ドレープ１０６が脚部部分１１２の裾１１６より下に伸長し、つまずく危険を患者１０２に齎すようなことはなく、増加された可動性が患者１０２に利用可能になる。
【００３４】
図４は、担架に乗せられた人のような、仰臥位の患者１０２が身に着けている、ガウン１００の側面図を示す。図５は、ガウン１００の上面図を示す。図４および５は、仰臥位、腹臥位、または、ファウラー位、すなわち、脚部を伸長した姿勢の患者１０２に適した、第２、または、能動的な構造のガウン１００を示す。能動的な構造において、患者の可動性は、主として自身の限られた位置、および、患者１０２が担架等の上で運ばれる状況に制限される。
【００３５】
ガウンは、本体部１０４、ドレープ１０６および一組の袖１０８を含む。本体部は、胸部部分１１０および脚部部分１１２を有する。仰臥位において、胸部部分１１０は、患者の体の一番高い部分で支持される。仰臥位において、胸部部分１１０は、患者１０２の胸および首部から吊るされる。胸部部分１１０は、胴部を取り巻くため、仰臥位の患者１０２は、ガウン１００の後部部分の内側の上に水平に位置する。
【００３６】
一組の袖１０８は、ガウン１００の本体部１０４から伸長する。１つの態様において、袖１０８は、肩から手首にかけて、患者１０２の腕部を取り囲むのに十分な長さを有する。仰臥位において、袖１０８は、肩よりはむしろ腕によって支持される。もう一つの態様において、袖は、患者１０２の手部を、腕部に加えて取り囲むことができるような、より長い長さを有する。このような仰臥位の態様においては、袖１０８は、腕部および手部により支持される。
【００３７】
脚部部分１１２は、患者１０２の足に向かって遠位方向に伸長する。示された態様において、脚部部分１１２は、患者１０２の足首に向けて伸長する。仰臥位において、ガウン１００の脚部部分１１２は、脚部および下腹部により支持される。
【００３８】
脚部部分１１２から伸長するドレープ１０６が、伸長位にある状態で示されている。ドレープ１０６の近位端部は、ガウン１００の脚部部分１１２の裾１１６の一部分に取り付けられる。伸長位において、ドレープ１０６の遠位端部は、ガウン１００の脚部部分１１２から取り外されている。ドレープ１０６は、脚部部分１１２の裾１１６から患者の足部を越えて、遠位方向に伸長している。ドレープ１０６は、患者の足部を覆い、足部により支持される。ドレープ１０６の遠位端部は、患者１０２を支持するベッドまたは他の台に載せられる。
【００３９】
脚部部分１１２の前部部分上には、スリット４０２、またはガウン１００における開口部がある。スリット４０２は一般的に、患者が足を肩幅に開いた状態で、患者１０２の脚部がガウン１００の脚部部分１１２に接触する場所の間にあるように位置する。スリット４０２は、ガウン１００の外側から分配器２０６−Ａへのアクセスを提供する。
【００４０】
ホース４０４は、ガウン１００のスリット４０２を通して、分配器２０６−Ａの近位端部に接続される。ホース４０４は、温風などのガスを、分配器２０６−Ａを通してガウン１００の内側に提供する。
【００４１】
図６は、ガウン１００用の分配器２０６−Ａの一態様の斜視図を示す。図７は、分配器２０６−Ａの側面図を示す。図８は、分配器２０６−Ａの前部、または正面を示す。分配器２０６−Ａは、概して楔形の細長い機器である。分配器２０６−Ａは、近位端部、外側面６０２、および、前部／後部表面６０４を取り囲む、基部６０６を含む。１つの態様において、分配器は、基部６０６、２つの外側面、および、実質的に平行な対応する前部／後部表面６０４を含む。当然の事ながら、前部および後部表面６０４は、置き換え可能である。参照を簡単にするために、前部表面は以下のように説明される。後部表面は、その患者１０２に対する位置を除いては実質的に同じである。
【００４２】
分配器２０６−Ａの基部６０６は、ホース４０４のノズルを受け入れるためのポート６０８を含む。ポート６０８は、ノズルを受け入れるための開口部を具備するカラーを含む。ポート６０８は、気密シールを提供するために、ガウンのスリット４０２に締結される。１つの態様において、ポート６０８は、熱溶接を介してガウン１００に締結される。もう１つの態様において、ポート６０８は、接着を介してガウン１００に締結される。
【００４３】
基部６０６は、各外側面６０２および各前部／後部表面６０４に対応する縁部を有する。各縁部は、外側面６０２または前部／後部表面６０４にそれぞれ、交互に連結される。示された態様において、２つの縁部が外側面６０２に連結され、２つの他の交互の縁部が前部／後部表面６０４に連結される。
【００４４】
１つの態様において、各外側面６０２は、分配器２０６−Ａの基部から遠位縦方向に伸長する長方形の織物部材である。外側面６０２は互いに対向し、分配器２０６−Ａの基部６０６から遠位方向に離れる方向に伸長する。外側面６０２の遠位端部は、分配器２０６−Ａの遠位端部において互いに連結される。もう一つの態様において、外側面６０２は、分配器２０６−Ａの遠位端部で包むように折り返された単一シートで、単一シートの両端部は基部６１０に接続される。
【００４５】
各前部／後部表面６０４は、基部６０６に近い第１区域８１２、および、分配器２０６−Ａの遠位端部に近い第２区域８１４を有する、織物部材を含む。第１区域８１２は、患者の下肢間の範囲の形状に適合する、実質的に長方形形状である。第２区域８１４は、患者の大腿部間の範囲の形状に適合する、実質的に三角形形状である。各前部／後部表面６０４は、分配器２０６−Ａの基部６０６から遠位縦方向に伸長する。前部／後部表面６０４は互いに対向し、２つの外側面６０２の間に組み入れられる。各前部表面６０４は、どちらの縁部６１０も隣接する外側面６０２と接続する。各前部表面６０４は、外側面６０２を前部表面６０４それぞれの遠位端部に連結する。各外側面６０２および各前部表面６０４は、分配器２０６−Ａが膨張した場合に、それぞれに対向する表面から離れる僅かな曲率を有する。
【００４６】
分配器２０６−Ａの１つの態様において、各外側面６０２は、複数の穿孔６１２を含む。穿孔は、織物において三角、またはＶ形状のスリットを含む。これにより、空気等のガスをフラップを通して流すことができる、Ｖ形状のフラップとなる。もう１つの態様において、穿孔６１２は、表面６０２における開口部または孔である。さらにもう１つの態様において、各外側面６０２は、不織布繊維またはメルトブローンポリプロピレンなどの、空気透過性素材である。分配器２０６−Ａのもう１つの態様において、各外側面６０２および各前部／後部表面６０４は、空気透過性素材である。
【００４７】
分配器２０６−Ａの１つの態様において、各外側面６０２および前部／後部表面６０４は、お互いに接続される素材の別々の一片である。各側面は、実質的に気密性のシールで、隣接する側面に接続される。例えば、側面は一緒に、熱溶接、接着、縫合、および／またはホッチキス止めされる。
【００４８】
もう１つの態様において、分配器２０６−Ａは、単一の織物から形成される。単一の織物は、各外側面６０２が単一の織物の一部分により画定されるように構成される。同様に、各前部／後部表面６０４は、単一の織物の一部分により画定される。外側面６０２および前部／後部表面６０４のそれぞれは、同一の単一の織物内に含まれる。織物の遠位端部は、図６〜８に示されるような形状に適合するように、形成またはカットされる。
【００４９】
分配器２０６−Ａは、外側面６０２が患者の脚部に隣接して、脚の間に位置するように、ガウン１００内で方向付けられる。前部／後部表面６０４は、患者１０２の前方および後方それぞれに向けて方向付けられる。分配器２０６−Ａが膨張する場合、外側面６０２は患者の脚部に向けて伸長し、前部／後部表面６０４は、患者の前部および後部に対して伸長する。分配器２０６−Ａは、分配器２０６−Ａが実質的に柔軟で患者の脚部が過度に不自由にならないように、各表面が僅かに湾曲するように膨張する。
【００５０】
外側面６０２は、２つの外側面６０２が、分配器２０６−Ａの長さの部分のためにおおよそ平行になるように構成され、基部６０６から遠位方向に伸長する。これは、基部６０６から患者の膝部近くの領域に伸長する、前部／後部表面６０４の第１区域８１２に起因する。長さの残りの部分では、外側面６０２は、分配器２０６−Ａの遠位端部に向かって互いに狭くなる。これは、患者の膝部から患者の股部近くの領域に伸長する、前部／後部表面６０４の第２区域８１４に起因する。外側面６０２の全長は、分配器２０６−Ａが、患者が不快になることなく患者の股部に遠位方向に伸長するようになっている。分配器２０６−Ａは、外側面６０２がお互いに向かって狭くなることに起因して、遠位端部で狭くなる。これで、患者１０２の脚部が、股部に向かって共に近くすることができるようになる。
【００５１】
例えば、外側面６０２は、前部／後部表面６０４の第１区域８１２に対応する部分で、患者の脚の下部に近接する。外側面６０２は、患者の大腿部に近接する狭くなる部分を有し、この部分は、患者の膝部から股部に向けて伸長する領域における狭くなる間隙に収容される、前部／後部表面６０４の第２区域８１４に対応する。
【００５２】
分配器２０６−Ａの基部６０６は、ガウン１００の脚部部分１１２の前部表面の内側に取り付けられる。基部６０６は、スリット４０２に近接する範囲において、脚部部分１１２に取り付けられる。１つの態様において、基部６０６のポート６０８は、実質的に気密なシールを形成するために、脚部部分１１２に固定される。例えば、ポート６０８は、脚部部分１１２に対して、熱溶着、接着および／またはホッチキスを介して固定される。ポート６０８がガウン１００の脚部部分１１２に固定されることで、分配器２０６−Ａが、エアホース４０４を介してアクセス可能になる。
【００５３】
受動的な構成において、分配器２０６−Ａは収縮し、ガウン１００の脚部部分１１２の前部表面の内側に寄り掛る。分配器２０６−Ａの遠位端部は、患者の股部に向かって伸長する。分配器２０６−Ａの遠位端部は、ガウン１００の脚部部分１１２の前部表面の内側に取り付けられる。１つの態様において、分配器２０６−Ａの遠位端部は、患者の股部に近接する範囲において、脚部部分１１２の前部表面の内側につながれる。このように、収縮した分配器２０６−Ａは、つまずく危険性をもたらすことなく、また、患者１０２の可動性を妨げることなく、  維持される。分配器２０６−Ａが膨張した場合、テザー（tether）によって、分配器２０６−Ａは患者の脚部間の通常位置を獲得することができる。他の態様においては、分配器２０６−Ａの遠位端部は、ストラップ、糸、フック／ループファスナー、ボタン、スナップおよび同類のものを介して、脚部部分１１２に取り付けられる。
【００５４】
もう一つの態様において、分配器２０６−Ａは、ガウン１００の下方または脚部部分１１２に取り付けられる空気透過性素材のシートにより画定されるチャンバである。空気透過性素材のシートは、患者１０２の両下肢に空気の流れを提供するために寸法付される。分配器２０６−Ａが収縮した場合、空気透過性素材のシートは、ガウン１００の脚部部分１１２の形状に沿ったものになる。このように、分配器２０６−Ａは、患者１０２の邪魔にならず、ガウン１００は、分配器２０６−Ａによる嵩張りは最小となる。膨張した場合、分配器２０６−Ａは枕形状となり、対流的な空気の流れ、および、空気透過性素材のシートを通した伝導により、患者の両下肢を加温できるようにする。
【００５５】
図９は、分配器がガウン１００のドレープ１０６を通してアクセス可能である、ガウン１００のための分配器２０６−Ｂの第２の態様の側面図を示す。図１０は、分配器２０６−Ｃが、ガウン１００の前面または前部部分を通してアクセス可能な、ガウン１００のための分配器２０６−Ｃの第３の態様の側面図を示す。図９および図１０の示された態様において、分配器２０６−Ｂ、２０６−Ｃは、ガウン１００の裾１１６に近接する範囲から、患者１０２の股部に向かって伸長する。受動的な構成において、分配器２０６−Ｂ、２０６−Ｃは収縮し、ガウン１００の脚部部分１１２の前部表面の内側に対して寄り掛かる。分配器２０６−Ｂ、２０６−Ｃの近位および遠位端部は、脚部部分１１２の前部表面の内側に取り付けられる。１つの態様において、分配器２０６−Ｂ、２０６−Ｃの近位端部は、裾１１６に近接する範囲において、脚部部分１１２の前部表面の内側につながれる。
【００５６】
図９において、ドレープ１０６は、足を肩幅に開いた仰臥位における、患者１０２の脚部間に実質的に位置する、ドレープスリット９０２を含む。能動的構成において、スリット９０２は、実質的に患者１０２の足部の間である。スリット９０２は、分配器２０６−Ｂにアクセスを提供する。
【００５７】
能動的な構成において、ホース４０４は、ガウン１００のドレープ１０６部分において、スリット９０２を通して伸長する。ホース４０４のノズルは、患者１０２の足部の間に伸長し、分配器２０６−Ｂの近位端部の基部６０６において、ポート６０８の中へ挿入される。
【００５８】
図１０において、分配器２０６−Ｃは、ガウン１００の前面において、スリット４０２を通してアクセス可能である。上記（図４および図５参照）のように、スリット４０２は、患者が足を肩幅に開いた状態で、患者１０２の脚部がガウン１００の脚部部分に接触する所の間に、実質的に位置する。もう１つの態様において、ガウン１００の前部部分は、分配器２０６−Ｃ、および、ガウン１００の前部部分を通して分配器２０６−Ｃから伸長するポート６０８に取り付けられる。
【００５９】
ポート６０８は、分配器２０６−Ｃの前部表面６０４上に位置する。能動的な構成において、ホース４０４は、ガウン１００の脚部部分１１２におけるスリット４０２を通して伸長する。ホース４０４のノズルは、分配器２０６−Ｃの前部表面６０４上のポート６０８の中へ挿入される。
【００６０】
図１１は、ガウン１００のための分配器２０６−Ｄの第４の態様の側面図を示す。示された態様において、分配器２０６−Ｄは、ガウンのドレープ１０６を通してアクセスされる。分配器２０６−Ｄは、ドレープ１０６から、足部、脚部の間を越えて、患者１０２の股部領域に向かって伸長する。
【００６１】
受動的な構成において、分配器２０６−Ｄは収縮し、ドレープ１０６の部分、および、ガウン１００の脚部部分１１２の前部表面の内側に対して寄り掛かる。分配器２０６−Ｄの近位端部における基部６０６は、ドレープ１０６の内側表面に取り付けられる。分配器２０６−Ｄの遠位端部は、脚部部分１１２の前部表面の内側に取り付けられる。１つの態様において、分配器２０６−Ｄの近位端部は、裾１１６に近接する範囲において、ドレープ１０６の内側表面につながれる。ドレープが収容位置にある場合、収縮した分配器２０６−Ｄは、ドレープ１０６を保持または巻く。
【００６２】
図９で上記に示されたように、ドレープ１０６は、足を肩幅に開いた仰臥位における、患者１０２の脚部の間に実質的に位置する、ドレープスリット９０２を含む。能動的な構成において、スリット９０２は、患者１０２の足部の間に実質的にある。スリット９０２は、分配器２０６−Ｄへのアクセスを提供する。能動的な構成において、ホース４０４のノズルは、ドレープ１０６のスリット９０２を通して伸長し、分配器２０６−Ｄの近位端部において、ポート６０８の中へ挿入される。もう１つの態様において、ポート６０８は、基部６０６がドレープ１０６に取り付けられ、ドレープ１０６を通して分配器２０６−Ｄの基部６０６から伸長する。
【００６３】
図１２は、ガウン１００のための分配器２０６−Ｅの第５の態様の側面図を示す。示された態様において、分配器２０６−Ｅは、継ぎ目１２０６において連結される、第１区域１２０２および第２区域１２０４を有する。第１区域１２０２は、ガウン１００に対して実質的に外付けであり、空気透過性ではない。第２区域１２０４は、ガウン１００に内在し、空気透過性である。
【００６４】
分配器２０６−Ｅの第１区域１２０２の近位端部は、ガウン１００の裾１１６に近接する、脚部部分１１２の前部表面の外側に取り付けられる。分配器２０６−Ｅの第１区域１２０２は、スリット１２０８を通してガウン１００の内側に伸長する。スリット１２０８は、ガウン１００の脚部部分１１２における裾１１６に近接して位置し、患者が足を肩幅に開いた状態で、患者１０２の脚部がガウン１００の脚部部分に接触する場所の間に実質的にあるように位置する。分配器２０６−Ｅの第２区域は、ガウン１００の範囲内に位置し、継ぎ目１２０６から患者１０２の股部に向けて伸長する。
【００６５】
受動的な構成において、分配器２０６−Ｅは収縮し、ガウン１００の脚部部分１１２の前部表面の内側に対して部分的に、および、外側に対して部分的に寄り掛かる。分配器２０６−Ｅの第２区域１２０４の遠位端部は、脚部部分１１２の前部表面の内側に取り付けられる。１つの態様において、分配器２０６−Ｅの第２区域１２０４の遠位端部は、脚部部分１１２の前部表面の内側に繋げられる。ドレープ１０６が収容位置にある場合、第１区域１２０２は、ドレープ１０６で覆われる。
【００６６】
能動的な構成において、ホース４０４のノズルは、分配器２０６−Ｅの第１区域１２０２のポート６０８の中へ挿入される。１つの態様において、ホース４０４は、患者１０２の足部の上に寄り掛る。このような態様は、ホース４０４および分配器２０６−Ｅの重さの分配を提供し、患者１０２のつま先の上へのストレスを最小限にする。
【００６７】
図１３は、ガウン１００のための分配器２０６−Ｆの第６の態様の側面図を示す。示された態様において、ガウン１００は、ドレープ１０６および脚部部分１１２に隣接する内層１３０２を含む。内層１３０２は空気透過性である。内層１３０２の周辺縁部は、分配器またはチャンバ２０６−Ｆを作り出すために、空気透過性でないガウン１００のドレープ１０６および脚部１１２に連結される。内層１３０２は、ドレープ１０６の遠位端部に近接するドレープ１０６に連結される。内層１３０２は、患者１０２の腰部に向けて伸長する。１つの態様において、内層１３０２は、患者１０２の股部領域に近接する脚部部分１１２に連結される。１つの態様において、チャンバ２０６−Ｆは、患者１０２の脚部の間にあり、ドレープ１０６の遠位端部に近接する範囲から、患者１０２の股部領域に向かって伸長する。もう１つの態様において、分配器２０６−Ｆは、分配器２０６−Ｆが患者１０２の両下肢を覆うように、患者１０２の脚部を越して伸長する幅を有する。
【００６８】
示された態様において、チャンバ２０６−Ｆは、ガウンのドレープ１０６を通してアクセスされる。チャンバ２０６−Ｆは、ドレープ１０６から、足部、脚部の間を越えて、患者１０２の股部領域に向かって伸長する。受動的な構成において、チャンバ２０６−Ｆは収縮し、内層１３０２は、ドレープ１０６の部分、および、ガウン１００の脚部部分１１２の前部表面の内側に対して寄り掛かる。ドレープが収容位置にある場合、収縮したチャンバ２０６−Ｆは、ドレープ１０６を保持または巻く。
【００６９】
図９で上記に示したように、ドレープ１０６は、足を肩幅に開いた仰臥位における、患者１０２の脚部の間に実質的に位置する、ドレープスリット９０２を含む。能動的な構成において、スリット９０２は実質的に患者１０２の足部の間にある。スリット９０２は、チャンバ２０６−Ｆへのアクセスを提供する。能動的な構成において、ホース４０４のノズルは、ドレープ１０６のスリット９０２を通して伸長し、チャンバ２０６−Ｆに連結されるポート６０８の中へ挿入される。
【００７０】
図１４は、ガウン１００のための分配器２０６−Ｇの第７の態様の側面図を示す。示された態様において、ガウン１００は、脚部部分１１２に隣接する内層１４０２を含む。内層１４０２は空気透過性である。内層１４０２の周辺縁部は、分配器またはチャンバ２０６−Ｇを作り出すために、ガウン１００の脚部部分１１２に連結される。空気透過性でないガウンの脚部部分１１２の一部分は、チャンバ２０６−Ｇの外層を形成する。内層１４０２は、ガウン１００の裾１１６に近接する脚部部分１１２に連結される。内層１４０２は、患者１０２の腰部に向かって伸長する。１つの態様において、内層１４０２は、患者１０２の股部領域に近接する脚部部分１１２に連結される。１つの態様において、チャンバ２０６−Ｇは、患者１０２の脚部の間にあり、裾１１６に近接する範囲から、患者１０２の股部領域に向かって伸長する。
【００７１】
示された態様において、チャンバ２０６−Ｇは、ガウン１００の前面におけるスリット４０２を通してアクセスされる。スリット４０２は、患者が足を肩幅に開いた状態で、患者１０２の脚部がガウン１００の脚部部分に接触する場所の間に実質的にあるように位置する。もう１つの態様において、ガウン１００の前部部分は、分配器２０６−Ｇ、および、ガウン１００の前部部分を通して分配器２０６−Ｇから伸長するポート６０８に取り付けられる。
【００７２】
示された態様において、ポート６０８は、スリット４０２に近接し、ガウン１００の脚部部分１１２の前部表面上に位置する。能動的な構成において、ホース４０４は、ガウン１００の脚部部分１１２におけるスリット４０２を通して伸長する。ホース４０４のノズルは、チャンバ２０６−Ｇの外層である、脚部部分１１２の前部表面上のポート６０８の中へ挿入される。受動的な構成において、チャンバ２０６−Ｇは収縮し、内層１４０２は、ガウン１００の脚部部分１１２の前部表面の内側に対して寄り掛かる。
【００７３】
動作において、患者１０２は、手術または他の医科的手術に先立ち、ガウン１００を着せられる。これは通常、直立位の患者に起こる。フラップ２０４は、ガウンの後部開口部２０２を閉じるために連結される。ドレープ１０６は、格納位置に収納される。ホース４０４は、分配器２０６−Ａには接続されない。分配器２０６−Ａは膨張し、脚部部分１０６の前部部分に実質的に隣接して位置する。直立位において、患者１０２は、手術の開始を待つ間、必要に応じて、歩き回るも座るも自由である。
【００７４】
患者１０２が最初にガウン１００を着る場合、ガウン１００は可動構成である。この構成においては、ガウンの受動的な加温が働く。袖１０８、脚部部分１１２および後部胸部部分１１０の反射性素材は、患者１０２の体温の損失を低減する。前部胸部部分１１０は、熱反射性素材を有しておらず、患者の胴部により生じた体温は、前部胸部部分１１０を通して放射される。このように、ガウン１００は、患者が可動である場合に、再分配による低体温を防止する。
【００７５】
手術のために、患者１０２は一般的に、仰臥位、腹臥位、または、ファウラー位のどれかの状態にある。図示するために、患者１０２は、担架上で仰臥位であるとして述べられる。ドレープ１０６は、ガウン１００の脚部部分１１２から取り外されている。ドレープ１０６は、ドレープ１０６の遠位端部が担架上に寄り掛るように、患者１０２の足部を覆うために伸長される。ホース４０４のノズルは、スリット４０２を通して、分配器２０６−Ａの入口ポート６０８の中へ挿入される。強制的な温風は、ホース４０４に取り付けられた送風機によって生じる。
【００７６】
強制的な温風は、ホース４０４から分配器２０６−Ａに入る。強制的な温風が分配器２０６−Ａに入ると、分配器２０６−Ａの内側の空気圧が増加し、分配器２０６−Ａを膨張させるため、外側面６０２および前部表面６０４は離れる。温風は、分配器２０６−Ａの表面を通して、ガウン１００の残りの部分の中へ排出される。
【００７７】
能動的な構成において、ガウン１００は、分配器２０６−Ａを通して能動的な加温を、そして、反射性素材により受動的な加温を提供する。温風は、分配器２０６−Ａを通して、ガウン１００の残りの部分に渡って流れる。ドレープ１０６、袖１０８、脚部部分１１２、および、本体１０４の後部部分は、すべて熱反射性素材を含むため、熱の放射損失は低減される。背中および四肢における熱損失が低減される。いくらかの温風は、首部開口部１１４、袖１０８の端部、後部開口部２０２、および、ドレープ１０６の縁部を通してガウンから徐々に放出される。
【００７８】
ガウン１００の胸部部分１１０の前部範囲は、熱反射性の特性は有さない。患者１０２の胸部、または、胸の範囲は、熱がガウン１００の胸部部分を通して逃げるようにできるので、多くの加温は起こらない。このように、患者１０２の中核温度は、不必要に増加することがない。
【００７９】
温風は、分配器２０６−Ａを通してガウン１００の内側に提供される。空気の温度は、四肢に望ましいレベルに維持される一方、胸または前部胸部が不快なレベルに上昇することを防止する。患者１０２の周りの空気の温度は、手術または他の医科的手術の前、間、後で、ガウン１００の内部で維持される。
【００８０】
図１５は、一態様の予熱ガウン１５００を見に付けた患者１０２の正面図を示す。予熱ガウン１５００は、患者１０２のかなりの部分を覆うように構成された衣服である。予熱ガウン１５００は、患者１０２を覆うその多層構成ゆえに、能動的な加温を提供する。予熱ガウン１５００は、対流加温を提供する一体型膨張式空気チャンバによって、能動的な加温を提供する。
【００８１】
予熱ガウン１５００は、上半身部分１５０２および下半身部分１５０４を有する。下半身部分１５０４は、例えば、面ファスナーシステムのような、解除可能で再取り付け可能な機構１５０６によって、上半身部分１５０２に解除可能に取り付けられる。上半身部分１５０２および下半身部分１５０４のそれぞれは、予熱ガウン１５００が患者１０２の能動的な加温に利用される場合に、空気供給のための接続が可能な、空気入口１５１２、１５１４を有する。
【００８２】
上半身部分１５０２は、患者１０２の上半身に身に着けられるように構成された衣服である。上半身部分１５０２は、主本体部および２つの袖１５０８を有する。示された態様において、袖１５０８は、上半身１５０２の残りの部分から分離される。肩の近くの継ぎ目１５１０は、各袖１５０８を取り除けるようにする。一つの態様において、継ぎ目１５１０は、袖１５０８を取り除けるような穿孔である。他の態様において、継ぎ目１５１０は、袖１５０８が取り除かれ、好適に再配置できるような、スナップまたは面ファスナーシステムを含む。
【００８３】
下半身部分１５０４は、下半身部分１５０４を上半身部分１５０２に接続する、取り付け機構１５０６を有する。１つの態様において、取り付け機構１５０６は、下半身部分１５０４を上半身部分１５０２から分離できるような穿孔である。他の態様において、取り付け機構１５０６は、下半身部分１５０４を取り外し、好適に再配置することができる、スナップまたは面ファスナーシステムを含む。１つの態様において、患者１０２の周りを一周する下方位置に伸長するガウンを形成するための取り付け機構１５０６において、底部および上部が対になるように、上半身部分１５０２の底部の長さまたは幅は、下半身部分１５０４の上部の長さまたは幅と実質的に同じである。もう１つの態様において、下半身部分１５０４の上部の長さは、上半身部分１５０２の底部の長さより短いため、下半身部分１５０２は、患者１０２の脚部の周りを完全には包まない。
【００８４】
１つの態様において、下半身部分１５０４は、下半身部分１５０４が膨れ上がることを防止する、複数の接続部１５１６を含む。以下に示されるように、下半身部分１５０４は、膨張式チャンバを形成する、外側シート１６０２、および、内側シート１６０４から形成される。接続部１５１６は、２つのシート１６０２、１６０４を、シート１６０２、１６０４の周囲の内側のいくつかの位置に接続した状態で保持することで、チャンバが枕形状に伸長することを防止する。
【００８５】
図１６は、予熱ガウン１５００の上半身部分１５０２の１つの態様の分解図を示す。上半身部分１５０２は、膨張式チャンバを形成する、外側シート１６０２および内側シート１６０４を含む。外側シート１６０２は、胸部部分１６０６を具備するガウンとして構成される。上半身部分１５０２は、患者１０２が上半身部分１５０２を着用できるように、胸部部分１６０６を垂直に分割する後部開口部２０２を有する。
【００８６】
袖１５０８は、ロング袖１５０８のそれぞれを、外側シート１６０２の胸部部分１６０６に取り付けられたショート袖１６０８に連結する、継ぎ目または接続部を有する。内側シート１６０４は、外側シート１６０２のショート袖１６０８の内側に適合する、対応するショート袖１６１０を有する。内側シート１６０４は、外側シート１６０２の胸部部分１６０６の内側に適合する対応する胸部部分１６１２を有する。外側シート１６０２の周辺縁部は、気密性ボンドで内側シート１６０４に接続される。
【００８７】
もう一つの態様において、内側シート１６０４は、外側シート１６０２より小さな寸法を有する。例えば、内側シート１６０４は、ショート袖１６１０を有さず、および／または、胸部部分１６１２は、外側シート１６０２の胸部部分１６０６の範囲までは、下向きに伸長しない。このような態様において、内側シート１６０４は、内側シート１６０４の周囲、または周辺縁部において、外側シート１６０２に接続される。１つのそのような態様において、内側シート１６０４は、下方の裾および首部開口部間の、胸部部分１６０６の前部部品に隣接して適合するように寸法付けられる。このように、膨張式チャンバは、患者１０２の前部胸部だけに隣接する。このような態様において、外側シート１６０４の後部部品は、膨張式チャンバから排出される空気が、予熱ガウン１５００の上半身部分１５０２の後部を通してさらに排出されるような、空気透過性素材である。
【００８８】
内側シート１６０４と外側シート１６０２の周辺接続に加えて、内側シート１６０４および外側シート１６０２は、周辺縁部から離れた接続部１５１６によって連結される。接続部１５１６は、外側および内側シート１６０２、１６０４が、お互いに強制的に離されることを防止し、実質的に大きな枕を形成する。接続部１５１６は、上半身部分１５０２が、限られた厚さで膨張した覆いを形成するようにする。
【００８９】
外側シート１６０２は、空気透過性素材であり、予熱ガウン１５００の上半身部分１５０２の外側表面を形成する。外側シート１６０２は、患者１０２の下半身の周りを包むのに十分な幅を有する。１つの態様において、図２に示されるように、１組のストラップ２０８が上半身部分１５０２に固定される。ストラップ２０８は、予熱ガウン１５００が装着された場合に、上半身部分１５０２の後部部分が共に締結されるようにする。他の態様においては、ボタン、スナップ、面ファスナーシステム、または、他の締結機構が、ストラップ２０８の代わりに利用される。
【００９０】
外側シート１６０２は、入口１５１２のための補強リングを具備する開口部を有する。１つの態様において、開口部は、空気供給ノズルが開口部に挿入される場合に壊れる、１つ以上の穿孔を含む。当業者には理解できるように、入口１６１２は、調節された空気を予熱ガウン１５００の上半身部分１５０２に供給するための空気供給ノズルに適合するように構成される。
【００９１】
１つの態様において、外側シート１６０２は、熱反射性の性質を有する部分を有する。上半身部分１５０２が、受動的加温モードで利用される場合、外側シート１６０２の熱反射性の性質は、外側シート１６０２の熱反射性部分に覆われる、患者１０２の選択された部分の体温を維持することを補完する。１つの態様において、ロング袖１５０８、ショート袖１６０８、および、胸部部分１６０６の前部部品は、熱反射性である。胸部部分１６０６の後部部品は、熱反射性ではない。様々な態様において、熱反射性は、表面上にコーティングするか、または、本質的に熱反射性の素材を利用することで得られる。例えば、基板に接着されるアルミめっき層は、熱反射性である。
【００９２】
内側シート１６０４は、空気透過性素材であり、予熱ガウン１５００の上半身部分１５０２の内側表面を形成する。１つの態様において、内側シート１６０４は、多孔質で、加圧された空気を通過させる、不織布素材である。他の態様において、内側シート１６０４は、穿孔しているか、または、空気がそこから逃げる複数の開口部またはスリットを有する。
【００９３】
図１７は、予熱ガウン１５００の下半身部分１５０４の一態様の分解図を示す。下半身部分１５０４は、膨張式チャンバを形成するために、気密性ボンドで周辺縁部において接続される、外側シート１７０２および内側シート１７０４を含む。もう１つの態様において、内側シート１７０４は、寸法的に外側シート１７０２より小さい。このような態様において、内側シート１７０４は、内側シート１７０４の周囲または周辺縁部において、外側シート１７０２に接続される。このような態様において、内側シート１７０４は、予熱ガウン１５００の下半身部分１５０４の前部部品に隣接するように寸法付けられる。さらに、外側シート１７０２の後部部品は、空気を膨張式チャンバから排出し、予熱ガウン１５００の下半身部分１５０４の後部を通してさらに排出する、空気透過性素材である。
【００９４】
内側シート１７０４を外側シート１７０２に接続する、周囲部の接合に加えて、内側シート１７０４および外側シート１７０２は、周囲から離れる接続部１５１６を有する。接続部１５１６は、外側および内側シート１７０２、１７０４が互いに離れることを防止し、実質的に大きな枕を形成する。接続部１５１６は、下半身部分１５０４が膨張可能な覆いを形成するようにする。
【００９５】
外側シート１７０２は、空気透過性素材であり、予熱ガウン１５００の下半身部分１５０４の外側表面を形成する。外側シート１７０２は、患者１０２の下半身の周りを包むのに十分な幅を有する。示された態様において、一組のストラップ２０８が、外側シート１７０２に固定される。ストラップ２０８は、予熱ガウン１５００が装着された場合に、下半身部分１５０４の後部部分が一緒に締結されるようにする。他の態様において、ボタン、スナップ、面ファスナーシステム、または、他の締結機構が、ストラップ２０８の代わりに利用される。
【００９６】
外側シート１７０２は、入口１５１４の部分を形成する開口部１７１４を有する。１つの態様において、開口部１７１４は１つ以上の穿孔を含み、それは、空気供給ノズルが開口部１７１４に挿入される場合に壊れる。補強リング１７１２は、入口１５１４のもう一つの部分として開口部１７１４の周りに固定される。当業者には理解できるように、入口１７１４は、調節された空気を予熱ガウン１５００の下半身部分１５０４に送るための空気供給ノズルと適合するように構成される。
【００９７】
１つの態様において、外側シート１７０２は、熱反射性の特性を具備する部分を有する。下半身部分１５０４が受動加温モードで利用される場合、外側シート１７０２の熱反射性の特性は、患者１０２の覆われた部分の体温を維持することを補完する。もう一つの態様において、外側シート１７０２の前部部分は、熱反射性素材で覆われ、外側シート１７０２の後部部分は、熱反射性素材で覆われない。
【００９８】
面ファスナーシステム１５０６の半分が、外側シート１７０２の上部端部に取り付けられる。面ファスナーシステム１５０６の半分が、上半身部分１５０２の下部に取り付けられる。このように、上半身部分１５０２および下半身部分１５０４は、解除可能に接続可能である。もう一つの態様において、上半身部分１５０２および下半身部分１５０４は、穿孔のある接続部または弱化線に取り付けられ、これらは上半身部分１５０４を下半身部分１５０２から分離して引き裂くようにしやすい。他の態様において、下半身部分１５０４は、スナップ、ボタン、テープまたは他の解除可能な接続部によって、上半身部分１５０２に接続される。
【００９９】
示された態様は、予熱ガウン１５００の下半身部分１５０４の下方縁部に取り付けられる、両面テープ片１７０８を示す。テープ片１７０８は、粘着部を露出するために取り外し可能な、保護カバーを有する。テープ片１７０８は、患者１０２の下半身を露出させる必要がある場合に、下半身部分１５０４が上半身部分１５０２に固定されるように位置付けさられる。
【０１００】
内側シート１７０４は、空気透過性素材であり、予熱ガウン１５００の下半身部分１５０４の内側表面を形成する。１つの態様において、内側シート１７０４は、多孔質で、加圧された空気を通過させる、不織布素材である。他の態様において、内側シート１７０４は、穿孔しているか、または、空気がそこから逃げる複数の開口部またはスリットを有する。
【０１０１】
予熱ガウン１５００は、多目的の衣服である。手術の前に、患者１０２は、上半身部分１５０２が下半身部分１５０４に取り付けられた予熱ガウン１５００を身に着ける。予熱ガウン１５００は、素材０６０２、１６０４、０７０２、０７０４および熱反射性の予熱ガウンの部分の２つの層によって、受動的に患者を加温する。能動的な加温のために、温風送風機が、下半身部分１５０４の入口１５１４に接続される。
【０１０２】
手術室に移送する間、患者１０２は、上半身部分１５０２が下半身部分１５０４に取り付けられた予熱ガウン１５００を身に着け続ける。予熱ガウン１５００は、素材０６０２、１６０４、０７０２、０７０４および熱反射性の予熱ガウン１５００の部分の２つの層によって、受動的に患者を加温する。
【０１０３】
患者１０２が手術室にいる場合、予熱ガウン１５００は、医療スタッフの要求に叶うように適合される。例えば、温風送風機は、上半身部分１５０２の入口１５１２に接続され、下半身部分１５０４は、接続部１５０６において取り外されるか、または、そこに置かれる。もう１つの例では、下半身部分１５０４が温風送風機に接続され、上半身部分１５０２が、接続部１５０６において取り外されるか、または、そこに置かれる。さらにもう１つの例では、予熱ガウン１５００は患者１０２から取り除かれ、温風送風機が、入口１５１２、１５１４の１つまたは両方に接続された加温毛布として、患者１０２の上に置かれる。もう一つの方法として、上半身部分１５０２は、接続部１５０６において、下半身部分１５０４から分離され、上半身部分１５０２または下半身部分１５０４のどちらかが、温風送風機が入口１５１２、１５１４の適した方に接続された加温毛布として、患者１０２の上に置かれる。
【０１０４】
手術室から移送するために、上半身部分１５０２および下半身部分１５０４の両方が共に接続され、予熱ガウン１５００は、上記のように手術室に移送される場合に示したように、受動的な加温を提供する。
【０１０５】
手術後または回復期のために、予熱ガウン１５００は、温風送風機を入口１５１２、１５１４の１つまたは両方に接続することで、受動的加温または能動的加温を提供する。
【０１０６】
前述の詳細な説明から、当業者には、患者を能動的に加温しながら、熱放射損失を受動的に減少させるシステムおよび方法が提供されたことが分かる。システムおよび方法は、本発明の精神と範囲から逸脱することなく、手術の前、間、後に利用することができる。
【０１０７】
本発明がいくつかの態様の詳細な説明によって示され、示された態様も詳しく説明されたが、出願人は、添付の特許請求の範囲をこれらに限定または制限する意図はない。付加的利点および変更は、当業者には容易である。したがって、より広い本発明の側面は、示され、説明された、詳細な説明、代表的な装置および方法、ならびに、説明に役立つ実例に限定されない。同様に、発明の発展は、本出願人の一般的な発明概念の精神と範囲から逸脱することなく、詳細な説明から行うことができる。
【図１】
2013536714.tif 000003
【図２】
2013536714.tif 000004
【図３】
2013536714.tif 000005
【図４】
2013536714.tif 000006
【図５】
2013536714.tif 000007
【図６】
2013536714.tif 000008
【図７】
2013536714.tif 000009
【図８】
2013536714.tif 000010
【図９】
2013536714.tif 000011
【図１０】
2013536714.tif 000012
【図１１】
2013536714.tif 000013
【図１２】
2013536714.tif 000014
【図１３】
2013536714.tif 000015
【図１４】
2013536714.tif 000016
【図１５】
2013536714.tif 000017
【図１６】
2013536714.tif 000018
【図１７】
2013536714.tif 000019
【国際調査報告】
2013536714.tif 000020
2013536714.tif 000021